(57)【要約】【課題】従来よりも弁閉動作の円滑化や弁閉状態の安定化を好適に図ることが可能なパイロット式開閉弁を提供する。【解決手段】先端が第１の弁座４１とされた隔壁部４を有し、隔壁部４の外側および内側の領域がそれぞれ１次側流路１１および２次側流路１２とされた、パイロット式開閉弁Ｖ１であって、隔壁部４の内周面のうち、第１の弁座４１よりも低い位置に設けられて内径が小さくされた段部４３を備えており、この段部４３は、第１の弁座４１の下部近傍部分の内周面から隔壁部４の半径方向内方に向けて突出する平面視環状の面を有し、かつこの面が第２の弁座４２とされ、１次圧と２次圧との差に応じて、ダイヤフラム弁体２が第１の弁座４１のみに当接する状態と、第１および第２の弁座４１，４２の双方に当接する状態とに変更可能である。【選択図】  図２
2015183833.tif 000002
【特許請求の範囲】
【請求項１】
内部に流体流入用の空間室が形成され、かつこの空間室には、先端が第１の弁座とされているとともに先端開口部が弁開口部とされた隔壁部が設けられて、前記隔壁部の外側領域および内側領域がそれぞれ１次側流路および２次側流路とされている弁ケーシングと、
前記弁開口部を開閉可能に前記第１の弁座に対向して往復動可能に設けられているとともに、前記１次側流路の１次圧を弁閉用の背圧として利用することにより前記２次側流路の２次圧に抗して弁閉動作が可能とされており、かつ前記弁座に当接する部分が弾性変形可能とされたダイヤフラム弁体と、
を備えている、パイロット式開閉弁であって、
前記隔壁部の内周面のうち、前記第１の弁座よりも低い位置に設けられ、かつ前記第１の弁座およびその下部近傍部分よりも内径が小さくされた段部を備えており、
この段部は、前記第１の弁座の下部近傍部分の内周面から前記隔壁部の半径方向内方に向けて突出する平面視環状の面を有し、かつこの面が第２の弁座とされており、
弁閉時においては、前記１次圧と前記２次圧との差に応じて、前記ダイヤフラム弁体が前記第１の弁座のみに当接する状態と、前記第１および第２の弁座の双方に当接する状態とに変更可能とされていることを特徴とする、パイロット式開閉弁。
【請求項２】
請求項１に記載のパイロット式開閉弁であって、
前記隔壁部の内周面のうち、前記第１および第２の弁座の相互間に位置する内周面は、前記第２の弁座から前記隔壁部の軸長方向に略沿って起立した面とされ、または前記軸長方向に対する傾斜角が４５°以内の傾斜面とされている、パイロット式開閉弁。
【請求項３】
給湯装置から浴槽に湯水を供給するための湯水供給路と、
この湯水供給路に設けられた注湯動作制御用の開閉弁と、
を備えている、風呂給湯システムであって、
前記開閉弁として、請求項１または２に記載のパイロット式開閉弁が用いられていることを特徴とする、風呂給湯システム。
【発明の詳細な説明】
【技術分野】
【０００１】
本発明は、たとえば給湯装置から浴槽への注湯動作のオン・オフ切り替え用途や、その他の流体制御用途に用いられるパイロット式開閉弁、およびこれを備えた風呂給湯システムに関する。
【背景技術】
【０００２】
パイロット式開閉弁として、たとえば特許文献１（図３〜図５）に記載のものがある。
同文献に記載されたパイロット式開閉弁は、弁ケーシング内の流体流入用の空間部内に、先端部が弁座とされた隔壁部を設け、かつこの隔壁部の先端開口部を、ダイヤフラム弁体により開閉可能とするように構成されている。前記空間部のうち、隔壁部の外側領域および内側領域は、それぞれ１次側流路および２次側流路とされている。ダイヤフラム弁体は、パイロット孔およびブリード孔を有しており、弁閉動作は、パイロット孔がプランジャにより閉塞され、かつブリード孔からはダイヤフラム弁体の背面側の背圧室に１次側流路の１次圧が導入されることによりなされる。パイロット式開閉弁の弁閉状態は、１次圧を利用して維持されるために、合理的である。
【０００３】
しかしながら、前記従来技術においては、次に述べるように、改善すべき余地があった。
【０００４】
すなわち、パイロット式開閉弁の上流側には、流量制御弁などの他の流体機器が設けられる場合があるが、このような場合には、他の流体機器において圧力損失が生じることに起因し、パイロット式開閉弁の１次圧が低くなる場合がある。一方、様々な制約などにより、パイロット式開閉弁の２次側流路の流路径を十分に大きくすることができない場合があるが、このような場合には２次側流路の流路抵抗が大きくなる。
パイロット式開閉弁は、１次圧と２次圧との差が大きいほど、ダイヤフラム弁体を弁座に対して強く圧接させて弁閉状態を安定させることが可能であるが、前記したように、１次圧が低い場合や、２次側流路の流路抵抗が大きい場合には、弁閉動作の円滑性が劣るものとなる。また、弁閉状態も不安定化し、たとえば１次圧の比較的小幅な変動に起因してダイヤフラム弁体が振動し、異音が発生するといった虞もある。
さらに、パイロット式開閉弁が、たとえば給湯装置から浴槽への高温差し湯を制御するための注湯制御弁として用いられ、内部に高温（たとえば８０℃前後）の湯水が流入するような場合には、１次圧が比較的高圧になるものの、１次側流路やその上流側に設置された流体機器内などにおいてキャビテーションを生じ易い。このようなキャビテーションを生じると、やはり弁閉状態が不安定化する。
【先行技術文献】
【特許文献】
【０００５】
【特許文献１】特許第３８３５２８１号公報
【発明の概要】
【発明が解決しようとする課題】
【０００６】
本発明は、前記したような事情のもとで考え出されたものであり、従来よりも弁閉動作の円滑化や弁閉状態の安定化を好適に図ることが可能なパイロット式開閉弁、およびこれを備えた風呂給湯システムを提供することを、その課題としている。
【課題を解決するための手段】
【０００７】
上記の課題を解決するため、本発明では、次の技術的手段を講じている。
【０００８】
本発明の第１の側面により提供されるパイロット式開閉弁は、内部に流体流入用の空間室が形成され、かつこの空間室には、先端が第１の弁座とされているとともに先端開口部が弁開口部とされた隔壁部が設けられて、前記隔壁部の外側領域および内側領域がそれぞれ１次側流路および２次側流路とされている弁ケーシングと、前記弁開口部を開閉可能に前記第１の弁座に対向して往復動可能に設けられているとともに、前記１次側流路の１次圧を弁閉用の背圧として利用することにより前記２次側流路の２次圧に抗して弁閉動作が可能とされており、かつ前記弁座に当接する部分が弾性変形可能とされたダイヤフラム弁体と、を備えている、パイロット式開閉弁であって、前記隔壁部の内周面のうち、前記第１の弁座よりも低い位置に設けられ、かつ前記第１の弁座およびその下部近傍部分よりも内径が小さくされた段部を備えており、この段部は、前記第１の弁座の下部近傍部分の内周面から前記隔壁部の半径方向内方に向けて突出する平面視環状の面を有し、かつこの面が第２の弁座とされており、弁閉時においては、前記１次圧と前記２次圧との差に応じて、前記ダイヤフラム弁体が前記第１の弁座のみに当接する状態と、前記第１および第２の弁座の双方に当接する状態とに変更可能とされていることを特徴としている。
【０００９】
このような構成によれば、次のような効果が得られる。
まず、弁閉時において、１次圧が２次圧よりも高く、これらの圧力差が大きい場合には、ダイヤフラム弁体を第１および第２の弁座の双方に当接させることが可能である。このような状態において、仮に、１次圧が低下し、１次圧と２次圧との差がやや小さくなって、ダイヤフラム弁体が第２の弁座から離間するような状況になったとしても、ダイヤフラム弁体が第１の弁座に当接した状態を維持することにより、直ちには弁開状態にならないようにし、弁閉状態を適切に維持することが可能となる。したがって、たとえばパイロット式開閉弁の上流に設置された他の流体機器における圧力損失に起因して１次圧が低下したり、あるいは１次側流路においてキャビテーションが発生するような現象を生じても、弁閉状態を安定させることが可能となる。その結果、ダイヤフラム弁体の振動音が発生するような不具合を好適に防止することができる。
第２の弁座は、隔壁部の内周面から隔壁部の半径方向内方に突出しているために、この第２の弁座にダイヤフラム弁体が当接した際には、ダイヤフラム弁体が第１の弁座のみに当接する場合よりも、２次側流路に対面する領域（２次圧を受ける領域）の面積が小さくなる。したがって、その分だけダイヤフラム弁体を第１および第２の弁座に対してより強い力で当接させ得ることとなる。
弁開状態から弁閉動作がなされる場合において、ダイヤフラム弁体が第１および第２の弁座に接近していく際には、それらの間に形成された隙間を流体が１次側流路から２次側流路に向けて通過する。これに対し、隔壁部の内周面には第２の弁座を構成する段部が設けられ、この部分において隔壁部の内径が小さくされているために、この部分とダイヤフラム弁体との間にも小幅の隙間を形成することが可能となる。このような隙間は、１次側流路から２次側流路に向けて弁開口部を流れる流体の流速を速める作用を生じさせる。この作用により、弁閉動作時においてダイヤフラム弁体が第１および第２の弁座に向けて前進し易くなり、弁閉動作の円滑化が図られる。
【００１０】
本発明において、好ましくは、前記隔壁部の内周面のうち、前記第１および第２の弁座の相互間に位置する内周面は、前記第２の弁座から前記隔壁部の軸長方向に略沿って起立した面とされ、または前記軸長方向に対する傾斜角が４５°以内の傾斜面とされている。
【００１１】
このような構成によれば、ダイヤフラム弁体を第１および第２の弁座に効率良く圧接させることができる。すなわち、ダイヤフラム弁体が、第１および第２の弁座の相互間に位置する内周面に対して過度に強く圧接し、その反力を受けると、ダイヤフラム弁体を第１および第２の弁座に強く圧接させることが困難化する。これに対し、前記構成によれば、そのような不具合を適切に防止または抑制することができる。
【００１２】
本発明の第２の側面により提供される風呂給湯システムは、給湯装置から浴槽に湯水を供給するための湯水供給路と、この湯水供給路に設けられた注湯動作制御用の開閉弁と、を備えている、風呂給湯システムであって、前記開閉弁として、本発明の第１の側面により提供されるパイロット式開閉弁が用いられていることを特徴としている。
【００１３】
このような構成によれば、本発明の第１の側面により提供されるパイロット式開閉弁について述べたのと同様な効果が得られる。
【００１４】
本発明のその他の特徴および利点は、添付図面を参照して以下に行なう発明の実施の形態の説明から、より明らかになるであろう。
【図面の簡単な説明】
【００１５】
【図１】本発明に係る風呂給湯システムの概略構成の一例を示す説明図である。
【図２】本発明に係るパイロット式開閉弁の一例を示し、（ａ）は、弁閉状態の要部断面図であり、（ｂ）は、弁開状態の要部断面図である。
【図３】（ａ），（ｂ）は、図２に示すパイロット式開閉弁の弁閉状態の態様を示す要部拡大断面図であり、（ｃ）は、図２に示すパイロット式開閉弁の弁開状態を示す要部拡大断面図である。
【図４】本発明の他の例を示す要部拡大図である。
【図５】（ａ）は、本発明との対比例を示す要部断面図であり、（ｂ）は、（ａ）の要部拡大断面図である。
【発明を実施するための形態】
【００１６】
以下、本発明の好ましい実施の形態について、図面を参照して具体的に説明する。
【００１７】
まず、図２に示すパイロット式開閉弁Ｖ１の構成を説明する。
パイロット式開閉弁Ｖ１は、弁ケーシング１、ダイヤフラム弁体２、および電磁ソレノイド３を駆動源とするプランジャ３０を備えている。
【００１８】
弁ケーシング１は、たとえば樹脂製であり、その内部には流体流入用の空間室１０が形成されている。この空間室１０内には、その底面部１３から上向きに起立した略円筒状または円環状の隔壁部４が設けられている。この隔壁部４の上部の先端開口部は、ダイヤフラム弁体２によって開閉される弁開口部４０であり、隔壁部４の先端部（上端部）は、第１の弁座４１である。空間室１０のうち、隔壁部４の外側領域は、１次側流路１１に相当し、隔壁部４の内側領域は、２次側流路１２に相当する。１次側流路１１には、弁ケーシング１に別途設けられた流体流入口（図示略）を介して外部から流体が供給される。図面では、１次側流路１１の上流寄り部分１１ａの幅が小さく示されているが、この上流寄り部分１１ａは、紙面と交差する方向の幅が比較的大きく、流体を所望流量で流通させるのに必要かつ十分な流路面積とされている。２次側流路１２は、隔壁部４の内側領域にたとえば横向きの流路１２ａが繋がり、流体流出口１２ｂに到る流路として形成されている。
【００１９】
隔壁部４の先端寄り領域の内周面には、段部４３が形成されて、第２の弁座４２が設けられている（図３も参照）。より詳しくは、隔壁部４の内周面のうち、第１の弁座４１よりも低い位置には、第１の弁座４１およびその下部近傍部分よりも内径が小さくされた段部４３が形成されている。この段部４３の上向き面が、第２の弁座４２であり、第１の弁座４１の下部近傍部分の内周面から隔壁部４の半径方向内方に向けて突出する平面視円環状である。本実施形態において、第１および第２の弁座４１，４２の相互間に位置する内周面４４は、第２の弁座４２から略直角に起立し、隔壁部４の軸長方向（図２および図３の上下方向）に略沿った面とされている。
【００２０】
ダイヤフラム弁体２は、第１および第２の弁座４１，４２に対向して往復動可能であり、フッ素ゴムなどの弾性部材からなるダイヤフラム２０に、比較的硬質の樹脂製のダイヤフラムプレート２１を組み付けて構成されている。ダイヤフラムプレート２１は、ダイヤフラム２０のうち、第１および第２の弁座４１，４２に対向する部分およびその周囲の一定領域が不当に撓みなどを生じないようにバックアップする役割を果たす。ダイヤフラム弁体２の背面側（図２の上側）には、背圧室１９が形成されている。ダイヤフラム弁体２には、背圧室１９を２次側流路１２と連通させるためのパイロット孔２２、および背圧室１９を１次側流路１１と連通させるためのブリード孔２３が設けられている。図面では省略しているが、背圧室１９の流体がブリード孔２３を通過して１次側流路１１へ逆流することを防止するための手段を設けた構成とすることもできる。
【００２１】
プランジャ３０は、ダイヤフラムプレート２１の背面側において往復動自在である。図２（ｂ）に示すように、プランジャ７を後退させている際には、パイロット孔２２が開状態となって背圧室１９と２次側流路１２とが連通するため、ダイヤフラム弁体２後退させて弁開口部４０を開状態とすることが可能である。これに対し、図２（ａ）に示すように、プランジャ３０の前進時には、パイロット孔２２の一端側開口部を閉塞しつつ、ダイヤフラム弁体２を第１および第２の弁座４１，４２側に押圧し、弁閉状態にすることが可能である。この弁閉状態が成立するための条件は、次の式１のとおりである。
（Ｐ１’・Ａ１’−Ｐ１・Ａ１）＞Ｐ２・Ａ２  …式１
Ｐ１’：背圧室１９の圧力（１次圧Ｐ１と同一または略同一）
Ａ１’：ダイヤフラム弁体２が圧力Ｐ１’を下向きに受ける有効面積
Ｐ１：１次圧
Ａ１：ダイヤフラム弁体２が１次圧Ｐ１を上向きに受ける有効面積
Ｐ２：２次圧
Ａ２：ダイヤフラム弁体２が２次圧Ｐ２を上向きに受ける有効面積
【００２２】
このパイロット式開閉弁Ｖ１においては、弁閉状態において、１次圧Ｐ１と２次圧Ｐ２との差が比較的小さい場合には、図３（ａ）に示すように、ダイヤフラム弁体２が第１の弁座４１のみに当接する。これに対し、１次圧Ｐ１と２次圧Ｐ２との差が大きい場合には、図３（ｂ）に示すように、ダイヤフラム弁体２は、第１および第２の弁座４１，４２の双方に当接する。第１および第２の弁座４１，４２の高低差は、たとえば０．５ｍｍ前後であり、これらの部分に対向するダイヤフラム２０の厚みは、たとえば１．５〜２．０ｍｍである。
【００２３】
次に、前記したパイロット式開閉弁Ｖ１の作用について説明する。
【００２４】
まず、１次圧Ｐ１と２次圧Ｐ２との差圧を大きくとることが可能な通常時においては、図３（ｂ）に示すように、ダイヤフラム弁体２を第１および第２の弁座４１，４２の双方に当接させることが可能である。このような状態において、仮に、何らかの事情により、１次圧Ｐ１が低下して１次圧Ｐ１と２次圧Ｐ２との差が小さくなり、ダイヤフラム弁体２がやや上昇する状況になったとしても、図３（ａ）に示すように、ダイヤフラム弁体２が第１の弁座４１に当接した状態を維持させることが可能である。したがって、１次圧Ｐ１が低下したことに起因して即座に弁開状態となることが解消され、弁閉状態が安定する。
【００２５】
図３（ａ），（ｂ）から理解されるように、ダイヤフラム弁体２が第１の弁座４１のみに当接する場合よりも、第１および第２の弁座４１，４２に当接する場合の方が、ダイヤフラム弁体２が２次圧Ｐ２を受ける面積Ａ２は小さくなる（Ａ２’＞Ａ２”）。したがって、ダイヤフラム弁体２を第１および第２の弁座４１，４２に当接させた際には、２次圧Ｐ２によるダイヤフラム弁体２の押圧力が小さくなり、弁閉状態を安定させる上でより好
ましいものとなる。
【００２６】
第２の弁座４２は、ダイヤフラム弁体２に対向する上向き面とされているために、第２の弁座４２に対するダイヤフラム弁体２の圧接力をより大きくする作用が得られる。この点を、図５の対比例を参照して説明すると、この対比例においては、本実施形態の第２の弁座４２に相当する部位が設けられておらず、第１の弁座４１の下部領域の内周面４４ａが、単なる傾斜面とされている。弁閉状態において、ダイヤフラム弁体２を内周面４４ａに圧接させただけでは、このダイヤフラム弁体２と内周面４４ａとの圧接力は小さい。具体的には、同図（ｂ）に示すように、ダイヤフラム弁体２の押し下げ力をＦとし、内周面４４ａの傾斜角をθとすると、ダイヤフラム弁体２が内周面４４ａに対してその垂直方向に圧接する力は、Ｆｔ（＝Ｆsinθ）に減じられたものとなる。これでは、内周面４４ａとダイヤフラム弁体２との間の止水シール性能を高める上で余り効果的ではない。これに対し、本実施形態によれば、第２の弁座４２に対して、その上方からダイヤフラム弁体２を垂直に圧接させることができるために、第２の弁座４２におけるシール性能を優れたものにすることが可能である。
【００２７】
さらに、本実施形態においては、第１および第２の弁座４１，４２の相互間の内周面４４が、第２の弁座４２から略直角に起立しているために、この内周面４４にダイヤフラム弁体２が強く圧接することは回避される。したがって、その分だけ、ダイヤフラム弁体２を第１および第２の弁座４１，４２に対して強く圧接させることができる利点も得られる。
【００２８】
図２（ｂ）に示した弁開状態から同図（ａ）に示す弁閉状態に移行する途中において、ダイヤフラム弁体２が第１および第２の弁座４１，４２に接近すると、それらの間に形成された隙間には、流体が１次側流路１１から２次側流路１２に向けて通過する。その一方、隔壁部４の内周面に第２の弁座４２を構成する段部４３が設けられており、このような段部４３が設けられていない場合と比較すると、小幅の隙間を長い距離で形成することができる。このことにより、前記隙間を通過する流体の流速が速められる作用がより効果的に得られ、ダイヤフラム弁体２が第１および第２の弁座４１，４２に向けて前進し易くなる。その結果、弁閉動作の円滑化も図られる。
【００２９】
次に、前記したパイロット式開閉弁Ｖ１を用いて構成された図１の風呂給湯システムＳについて説明する。
【００３０】
本実施形態の風呂給湯システムＳは、高温差し湯方式であり、バーナ５０および熱交換器５１を有する給湯装置５と、この給湯装置５から浴槽６に湯水を供給するための湯水供給路７とを備えており、この湯水供給路７の途中に設けられる注湯動作制御用の開閉弁として、パイロット式開閉弁Ｖ１が用いられている。
【００３１】
給湯装置５は、入水口８０ａに入水した湯水が熱交換器５１に送り込まれて加熱されるように構成されており、この加熱湯水を出湯配管路８１の出湯口８１ａから一般給湯用に出湯させることが可能である。湯水供給路７は、出湯配管路８１に分岐接続されており、パイロット式開閉弁Ｖ１の上流側には、流量調整弁ＶａやフィルタＦＬが設けられている。パイロット式開閉弁Ｖ１を構成する場合、流量調整弁Ｖａ、フィルタＦＬ、および図１に示す逆止弁Ｖｂを１つの弁ケーシング１内に組み込み、これらの集約化ならびにコンパクト化を図ることが可能である。パイロット式開閉弁Ｖ１の下流側には、たとえば２つの逆止弁Ｖｃ，Ｖｄが設けられている。湯水供給路７には、出湯配管路８１のうち、流量調整弁Ｖｅの下流側と２つの逆止弁Ｖｃ，Ｖｄの上流側とを繋ぎ、かつ開閉弁Ｖｆを備えた配管路８２が接続されている。浴槽６に高温差し湯とは異なる態様の湯水供給を行なう場合には、配管路８２を利用可能である。２つの逆止弁Ｖｃ，Ｖｄと開閉弁Ｖｆとは、１つ
の弁ケーシング９０内に組み込んだ構成とすることができる。なお、開閉弁Ｖｆとして、パイロット式開閉弁Ｖ１を用いることもできる。
【００３２】
本実施形態の風呂給湯システムＳにおいては、パイロット式開閉弁Ｖ１の開閉切り替えにより、浴槽６への高温差し湯のオン・オフ切り替えが可能であるが、パイロット式開閉弁Ｖ１に供給されてくる湯水温度は、たとえば８０℃前後の高温であり、その流量は、通常の給湯動作時よりも少量とされ、１次圧Ｐ１は高圧気味とされる。湯水流量が少量であることに対応し、たとえば図２に示した２次側流路１２の流路１２ａの内径ｄ１が小さくされる場合がある。ただし、このような仕様にされると、２次側流路１２の流路抵抗が大きくなるために、弁閉動作時に２次側流路１２の２次圧Ｐ２が大きくなり、１次圧Ｐ１が比較的高圧であっても、それらの差圧を大きくとり難くなる。パイロット式開閉弁Ｖ１の上流に設けられている流量調整弁Ｖａにおいて大きな圧力損失が発生し、１次圧Ｐ１が低くなる現象も生じ得る。さらに、流量調整弁Ｖａの動作に起因してキャビテーションが発生し、１次側流路１１がその影響を受けるようなこともあり得る。本来ならば、前記したようなことに起因し、円滑な弁閉状態への移行が困難となったり、あるいは弁閉状態が不安定となる虞があるが、パイロット式開閉弁Ｖ１によれば、前記したような虞を適切に解消し、または抑制することが可能である。
【００３３】
図４は、本発明の他の実施形態を示している。同図において、前記実施形態と同一または類似の要素には、前記実施形態と同一の符号を付している。
【００３４】
図４に示す実施形態においては、第１および第２の弁座４１，４２の相互間の内周面４４が、隔壁部４の軸長方向に対して適当な傾斜角αで傾斜している。好ましくは、この傾斜角αは、４５°以下とされている。
本実施形態によれば、ダイヤフラム弁体２を第１および第２の弁座４１，４２に当接させる際に、ダイヤフラム弁体２が内周面４４にも圧接することとなる。ただし、第２の弁座４２が非傾斜の上向き面とされているために、やはり第２の弁座４２に対してダイヤフラム弁体２を強固に圧接させることが可能であり、この点が図５に示した対比例とは大きく相違する。また、傾斜角αが４５°未満とされていれば、内周面４４に対するダイヤフラム弁体２の圧接力を小さくし、第１および第２の弁座４１，４２に対するダイヤフラム弁体２の圧接力を大きくすることが可能である。
【００３５】
本発明は、上述した実施形態の内容に限定されない。本発明に係るパイロット式開閉弁、およびこれを備えた風呂給湯システムの各部の具体的な構成は、本発明の意図する範囲内において種々に設計変更自在である。
【００３６】
たとえば、本発明でいう第２弁座は、必ずしも平面状でなくてもよく、たとえば上向きに（ダイヤフラム弁体側に向けて）湾曲した曲面状、あるいは一部分が凸状に隆起した形状とすることもできる。
本発明に係るパイロット式開閉弁は、給湯装置から浴槽への高温注湯を制御する用途に好適であるが、その具体的な用途は限定されず、様々な流体の流通制御用途に用いることが可能である。
【符号の説明】
【００３７】
Ｓ  風呂給湯システム
Ｖ１  パイロット式開閉弁
１  弁ケーシング
２  ダイヤフラム弁体
４  隔壁部
５  給湯装置
６  浴槽
７  湯水供給路
１０  空間室
１１  １次側流路
１２  ２次側流路
１９  背圧室
２２  パイロット孔
２３  ブリード孔
４０  弁開口部
４１  第１の弁座
４２  第２の弁座
４３  段部
４４  内周面（第１および第２の弁座の相互間の）
【図１】
2015183833.tif 000003
【図２】
2015183833.tif 000004
【図３】
2015183833.tif 000005
【図４】
2015183833.tif 000006
【図５】
2015183833.tif 000007